(57)【要約】【課題】監視対象者における徘徊や迷子などの異常を、容易かつ的確に報知できるようにする。【解決手段】携帯端末１は、自装置の状態を検知し、検知した状態を示す状態情報を監視サーバー２に通知し、監視サーバー２は、携帯端末１から通知された状態情報が予め設定された所定の状態を示すか否かを判定し、所定の状態を示していると判定された携帯端末１の近傍に位置する他の携帯端末１を探索し、近傍に所定数以上の他の携帯端末１が位置する場合には異常を報知せず、近傍に所定数以上の他の携帯端末１がない場合は異常を報知する。【選択図】図１
2012216119.tif 000002
【特許請求の範囲】
【請求項１】
複数の携帯端末と、複数の前記携帯端末と通信可能に接続する監視サーバーとを有する監視システムであって、
複数の前記携帯端末は、
自装置の状態を検知する状態検知手段と、
検知した状態を示す状態情報を前記監視サーバーに通知する通知手段とを備え、
前記監視サーバーは、
前記携帯端末から通知された状態情報が予め設定された所定の状態を示すか否かを判定する状態判定手段と、
前記状態判定手段により所定の状態を示していると判定された前記携帯端末の近傍に位置する他の携帯端末を探索する探索手段と、
前記状態判定手段により所定の状態を示していると判定された前記携帯端末の近傍に所定数以上の他の前記携帯端末が位置する場合には異常を報知せず、前記状態判定手段により所定の状態を示していると判定された前記携帯端末の近傍に所定数以上の他の前記携帯端末が位置しない場合は異常を報知する報知手段と、
を備えることを特徴とする監視システム。
【請求項２】
前記監視サーバーは、複数の前記携帯端末ごとに、これら複数の前記携帯端末が属するグループを設定するグループ設定手段を更に備え、
前記報知手段は、前記状態判定手段により所定の状態を示していると判定された前記携帯端末の近傍に同じグループの前記携帯端末が所定数以上位置する場合に異常を報知せず、前記状態判定手段により所定の状態を示していると判定された前記携帯端末の近傍に同じグループの携帯端末が所定数以上位置しない場合は異常を報知すること、
を特徴とする請求項１記載の監視システム。
【請求項３】
前記携帯端末が備える前記状態検知手段は自位置を検知し、
前記通知手段は前記状態検知手段により検知した自位置を前記監視サーバーに通知し、
前記監視サーバーが備える前記探索手段は、複数の前記携帯端末の各々から通知された位置をもとに、前記状態判定手段により所定の状態を示していると判定された前記携帯端末の近傍に位置する他の前記携帯端末を探索すること、
を特徴とする請求項１または２記載の監視システム。
【請求項４】
複数の前記携帯端末は、それぞれ所定の通信エリアを有する複数の基地局のうち、いずれかの基地局を介して前記監視サーバーと通信接続し、
前記監視サーバーが備える前記探索手段は、前記状態判定手段により判定された前記携帯端末と同一または近接する前記基地局と通信する携帯端末を、当該携帯端末の近傍に位置する携帯端末として探索すること、
を特徴とする請求項１または２記載の監視システム。
【請求項５】
前記状態検知手段は、自装置の移動速度または加速度の状態を検知し、
前記状態判定手段は、通知された前記携帯端末の移動速度または加速度が予め設定された値を超えた状態であるか否かを判定すること、
を特徴とする請求項１から４のいずれかに記載の監視システム。
【請求項６】
前記監視サーバーは、前記携帯端末ごとに報知先を設定する報知先設定手段を更に備え、
前記報知手段は、前記報知先設定手段により設定された報知先へ異常を報知すること、
を特徴とする請求項１から５のいずれかに記載の監視システム。
【請求項７】
複数の携帯端末と通信可能に接続する監視サーバーであって、
前記携帯端末より通知された状態情報が予め設定された所定の状態を示すか否かを判定する状態判定手段と、
前記状態判定手段により所定の状態を示していると判定された携帯端末の近傍に位置する携帯端末を探索する探索手段と、
前記状態判定手段により所定の状態を示していると判定された前記携帯端末の近傍に所定数以上の他の前記携帯端末が位置する場合には異常を報知せず、前記状態判定手段により所定の状態を示していると判定された前記携帯端末の近傍に所定数以上の他の前記携帯端末が位置しない場合は異常を報知する報知手段と、
を備えることを特徴とする監視サーバー。
【請求項８】
複数の携帯端末と通信可能に接続する監視サーバーによる監視方法であって、
前記携帯端末より通知された状態情報が予め設定された所定の状態を示すか否かを判定する状態判定ステップと、
前記状態判定ステップにより所定の状態を示していると判定された携帯端末の近傍に位置する携帯端末を探索する探索ステップと、
前記状態ステップで所定の状態を示していると判定された前記携帯端末の近傍に所定数以上の他の前記携帯端末が位置する場合には異常を報知せず、前記状態判定ステップで所定の状態を示していると判定された前記携帯端末の近傍に所定数以上の他の前記携帯端末が位置しない場合は異常を報知する報知ステップと、
を含むことを特徴とする監視方法。
【発明の詳細な説明】
【技術分野】
【０００１】
本発明は、監視システム、監視サーバー、及び、監視方法に関する。
【背景技術】
【０００２】
従来、子供や老人などの監視対象者を監視する監視システムが知られている。この種のシステムは、例えば、監視対象者が所有する携帯電話等の携帯端末からの通信をもとに、予め定められたエリア外に監視対象者が移動したことを検知して、徘徊や迷子などの監視対象者の異常を報知する（特許文献１参照）。
【先行技術文献】
【特許文献】
【０００３】
【特許文献１】特開２００４−３２８０１８号公報
【発明の概要】
【発明が解決しようとする課題】
【０００４】
しかしながら、上述した従来技術では、監視対象者が携帯端末を所持する衆人の中に居て、実際には徘徊や迷子などではない場合であっても、予め設定されたエリア外に監視対象者が移動するだけで徘徊や迷子などの異常と報知されてしまうという問題があった。
本発明は、上述した事情に鑑みてなされたものであり、監視対象者における徘徊や迷子などの異常を的確に判定し、不要な報知を抑え、必要な報知を行えるようにすることを目的とする。
【課題を解決するための手段】
【０００５】
上記課題を解決するため、本発明は、複数の携帯端末と、複数の前記携帯端末と通信可能に接続する監視サーバーとを有する監視システムであって、複数の前記携帯端末は、自装置の状態を検知する状態検知手段と、検知した状態を示す状態情報を前記監視サーバーに通知する通知手段とを備え、前記監視サーバーは、前記携帯端末から通知された状態情報が予め設定された所定の状態を示すか否かを判定する状態判定手段と、前記状態判定手段により所定の状態を示していると判定された前記携帯端末の近傍に位置する他の携帯端末を探索する探索手段と、前記状態判定手段に所定の状態を示していると判定された前記携帯端末の近傍に所定数以上の他の前記携帯端末が位置する場合には異常を報知せず、前記状態判定手段により所定の状態を示していると判定された前記携帯端末の近傍に所定数以上の他の前記携帯端末が位置しない場合は異常を報知する報知手段と、を備えることを特徴とする。
本発明によれば、複数の携帯端末が自装置の状態を検知して監視サーバーに通知し、監視サーバーが、通知された状態情報に基づいて予め設定された所定の状態を示すか否かを判定し、所定の状態を示していると判定された携帯端末については、近傍に所定数以上の他の携帯端末がない場合に、異常を報知する。したがって、他の携帯端末を所持する衆人の近傍にあって、実際には徘徊や迷子などではない場合には異常の報知を行わず、携帯端末を所持する衆人が近傍にいない場合に異常の報知を行うことから、監視対象者における徘徊や迷子などの異常を的確に報知できる。
【０００６】
また、本発明は、上記監視システムにおいて、前記監視サーバーは、複数の前記携帯端末ごとに、これら複数の前記携帯端末が属するグループを設定するグループ設定手段を更に備え、前記報知手段は、前記状態判定手段により所定の状態を示していると判定された前記携帯端末の近傍に同じグループの前記携帯端末が所定数以上位置する場合に異常を報知せず、前記状態判定手段により所定の状態を示していると判定された前記携帯端末の近傍に同じグループの携帯端末が所定数以上位置しない場合は異常を報知することを特徴とする。
本発明によれば、複数の携帯端末が属するグループを設定し、所定の状態を示していると判定された携帯端末の近傍に、同じグループに設定された他の携帯端末が所定数以上ある場合には異常を報知しない。これにより、例えば集団で登下校する児童または生徒が所持する携帯端末を同一のグループとして設定することで、登下校中に他の子供とはぐれた場合の報知などを行うことが可能となる。従って、異常を報知すべき状態か否かをより適切に判定し、的確な報知を行うことができる。
【０００７】
また、本発明は、上記監視システムにおいて、前記携帯端末が備える前記状態検知手段は自位置を検知し、前記通知手段は前記状態検知手段により検知した自位置を前記監視サーバーに通知し、前記監視サーバーが備える前記探索手段は、複数の前記携帯端末の各々から通知された位置をもとに、前記状態判定手段により所定の状態を示していると判定された前記携帯端末の近傍に位置する他の前記携帯端末を探索することを特徴とする。
ここで、自位置を検知する方法としては、例えば、ＧＰＳ衛星から送信された電波を受信して自位置を演算処理により求める方法、この携帯端末と通信可能な位置検出用標準局（例えば、携帯通信網の基地局や無線ＬＡＮのアクセスポイント等）からの距離を電波強度に基づいて求めることで、自位置を算出する方法、或いは、これらの方法を組み合わせることが考えられる。
本発明によれば、各々の携帯端末が検知した各携帯端末の位置に基づいて、携帯端末の探索を行い、的確な報知を行うことができる。
【０００８】
また、本発明は、上記監視システムにおいて、複数の前記携帯端末は、それぞれ所定の通信エリアを有する複数の基地局のうち、いずれかの基地局を介して前記監視サーバーと通信接続し、前記監視サーバーが備える前記探索手段は、前記状態判定手段により判定された前記携帯端末と同一または近接する前記基地局と通信する携帯端末を、当該携帯端末の近傍に位置する携帯端末として探索することを特徴とする。
本発明によれば、例えば複数の基地局で通信エリア（セル）をカバーする携帯電話（セルラーフォン）や、店舗や駅などに設置された基地局（アクセスポイント）を介して通信する公衆無線ＬＡＮなどの通信システムを用いて本発明を構成する場合に、所定の状態を示すと判定された携帯端末の近傍に位置する他の携帯端末を容易に探索できる。
【０００９】
また、本発明は、上記監視システムにおいて、前記状態検知手段は、自装置の移動速度または加速度の状態を検知し、前記状態判定手段は、通知された前記携帯端末の移動速度または加速度が予め設定された値を超えた状態であるか否かを判定することを特徴とする。
本発明によれば、携帯端末を所持する監視対象者が移動する状態あるいは監視対象者の動作の状態に基づいて、異常の報知を行うことができる。
【００１０】
また、本発明は、上記監視システムにおいて、前記監視サーバーは、前記携帯端末ごとに報知先を設定する報知先設定手段を更に備え、前記報知手段は、前記報知先設定手段により設定された報知先へ異常を報知することを特徴とする。
本発明によれば、予め設定された報知先に、携帯端末を所持する監視対象者についての状況を報知できる。
【００１１】
また、上記課題を解決するため、本発明は、複数の携帯端末と通信可能に接続する監視サーバーであって、前記携帯端末より通知された状態情報が予め設定された所定の状態を示すか否かを判定する状態判定手段と、前記状態判定手段により所定の状態を示していると判定された携帯端末の近傍に位置する携帯端末を探索する探索手段と、前記状態判定手段により所定の状態を示していると判定された前記携帯端末の近傍に所定数以上の他の前記携帯端末が位置する場合には異常を報知せず、前記状態判定手段により所定の状態を示していると判定された前記携帯端末の近傍に所定数以上の他の前記携帯端末が位置しない場合は異常を報知する報知手段と、を備えることを特徴とする。
本発明によれば、監視サーバーは、複数の携帯端末が自装置の状態を検知して通知した状態情報に基づいて、予め設定された所定の状態を示すか否かを判定し、所定の状態を示していると判定された携帯端末については、近傍に所定数以上の他の携帯端末がない場合に、異常を報知する。したがって、他の携帯端末を所持する衆人の近傍にあって、実際には徘徊や迷子などではない場合には異常の報知を行わず、携帯端末を所持する衆人が近傍にいない場合に異常の報知を行うことから、監視対象者における徘徊や迷子などの異常を的確に報知できる。
【００１２】
また、上記課題を解決するため、本発明は、複数の携帯端末と通信可能に接続する監視サーバーによる監視方法であって、前記携帯端末より通知された状態情報が予め設定された所定の状態を示すか否かを判定する状態判定ステップと、前記状態判定ステップにより所定の状態を示していると判定された携帯端末の近傍に位置する携帯端末を探索する探索ステップと、前記状態ステップで所定の状態を示していると判定された前記携帯端末の近傍に所定数以上の他の前記携帯端末が位置する場合には異常を報知せず、前記状態判定ステップで所定の状態を示していると判定された前記携帯端末の近傍に所定数以上の他の前記携帯端末が位置しない場合は異常を報知する報知ステップと、を含むことを特徴とする監視方法。
本発明の監視方法によれば、複数の携帯端末が自装置の状態を検知して監視サーバーに通知し、監視サーバーが、通知された状態情報に基づいて予め設定された所定の状態を示すか否かを判定し、所定の状態を示していると判定された携帯端末については、近傍に所定数以上の他の携帯端末がない場合に、異常を報知する。したがって、他の携帯端末を所持する衆人の近傍にあって、実際には徘徊や迷子などではない場合には異常の報知を行わず、携帯端末を所持する衆人が近傍にいない場合に異常の報知を行うことから、監視対象者における徘徊や迷子などの異常を的確に報知できる。
【発明の効果】
【００１３】
本発明によれば、携帯端末を所持する監視対象者の状態に関する異常の報知を適切に行うことができる。
【図面の簡単な説明】
【００１４】
【図１】本発明の実施形態にかかる監視システムの構成を示す図である。
【図２】携帯端末の構成を示すブロック図である。
【図３】監視サーバーの構成を示すブロック図である。
【図４】監視サーバーの動作を示すフローチャートである。
【発明を実施するための形態】
【００１５】
以下、図面を参照して本発明の実施形態について説明する。図１は、実施形態にかかる監視システムの構成を示す図である。
図１に示すように、監視システム１００は、子供や老人などの監視対象者を含む人物Ｈの各々が保有する携帯端末１と、インターネットやＷＡＮ（Wide Area Network）等の通信ネットワークＮＴを介して携帯端末１と通信可能に接続する監視サーバー２、端末装置３を備える構成である。携帯端末１は、携帯電話（セルラーフォン）やＰＤＡ（Personal Digital Assistant）等の携帯型の端末装置であってよく、移動体通信や、公衆無線ＬＡＮ（Local Area Network）などの通信システムを用い、通信ネットワークＮＴを介して監視サーバー２と通信可能な構成であればいずれであってもよい。具体的には、携帯端末１は、所定の通信エリアＡ（セルラーフォンにおけるセル、公衆無線ＬＡＮにおけるアクセスエリア等）を有する複数の基地局Ｂの中の、いずれかの基地局Ｂを介して通信ネットワークＮＴと接続し、その通信ネットワークＮＴを介して監視サーバー２と通信する。なお、本実施形態では携帯電話を例にして説明する。
また、携帯端末１は、ＧＰＳ衛星ＳＴ（GPS:Global Positioning System）が送信するＧＰＳ信号ＳＧを受信し、受信したＧＰＳ信号ＳＧをもとに自らの位置を測位する。監視サーバー２は、例えばＷＳ（Work Station）等の情報機器である。監視サーバー２は、通信ネットワークＮＴを介して通信する携帯端末１の保有者（子供や老人などの監視対象者）に異常が生じた場合に、その保有者の異常を端末装置３などに報知する（詳細は後述する）。端末装置３は、例えばＰＣ（Personal Computer）や携帯電話などの情報機器であり、監視対象者を監視する監視者（子供の保護者等）が利用する。
【００１６】
図２は、携帯端末１の構成を示すブロック図である。図２に示すように、携帯端末１は、主として、ＣＰＵ１０と、不揮発性メモリーであるＲＯＭ１１と、揮発性メモリーであるＲＡＭ１２と、ＬＣＤ（Liquid Crystal Display）等の表示装置である表示部１３と、キーボード、タッチパネル等の入力デバイスである操作部１４と、所定の通信プロトコルを用いた基地局Ｂとの通信や、ＧＰＳ衛星ＳＴが送信するＧＰＳ信号ＳＧの受信を行う通信部１５と、自装置の加速度を検知する加速度センサー１６とを備えている。携帯端末１では、ＣＰＵ１０がＲＯＭ１１などに記憶されたファームウェアを実行して各部を制御することで、基地局Ｂを介した通信等の携帯電話としての機能を実現する。また、携帯端末１は、ソフトウェアとハードウェアとの協働、すなわちＣＰＵ１０が上述したファームウェアを実行することで、状態検知部１０１、通知部１０２としての機能を実現する。
【００１７】
状態検知部１０１（状態検知手段）は、加速度センサー１６の検知結果をもとに、携帯端末１の加速度やその加速度を積分して得られる携帯端末１の速度等の携帯端末１の状態を検知する。例えば、状態検知部１０１の検知結果により携帯端末１の加速度や速度の値が大きい場合は、携帯端末１を保有する保有者が車や電車などで移動している状態であることを検知できる。
なお、本実施形態では、携帯端末１の状態として速度、加速度を状態検知部１０１で検知する構成を例示するが、状態検知部１０１は、照度センサーや温度センサーなどにより携帯端末１の周囲の照度や温度の状態を検知してもよい。
また、状態検知部１０１は、通信部１５がＧＰＳ衛星ＳＴより受信したＧＰＳ信号ＳＧをもとに、自装置の位置を検知する。具体的には、状態検知部１０１は、複数のＧＰＳ衛星ＳＴより受信したＧＰＳ信号ＳＧから各々のＧＰＳ衛星ＳＴに対する距離を算出し、算出した各々のＧＰＳ衛星ＳＴに対する距離から自装置の位置を測位する３次元測位により、自装置の位置を検知する。なお、状態検知部１０１が、複数の基地局Ｂとの間で通信を行い、各基地局の位置と各基地局から受信した電波の強度とに基づいて、自装置の位置を検出してもよいし、この方法とＧＰＳ衛星から受信した電波に基づく演算処理とを併用して、自装置の位置を検出してもよい。
【００１８】
通知部１０２（通知手段）は、状態検知部１０１が検知した検知結果を、通信部１５を介して通信接続する監視サーバー２に通知する。具体的には、通知部１０２は、ＲＯＭ１１などに設定された通信ネットワークＮＴ上における監視サーバー２のアドレスを読み出し、所定の通信プロトコルにしたがって状態検知部１０１が検知した加速度や速度などの値を監視サーバー２に通知する。例えば、監視サーバー２への通知は、ＳＭＳ（ショートメッセージサービス）やＭＭＳ（メールメッセージサービス）などで行われてよい。また、監視サーバー２への通知は、予め設定された時間間隔ごとに行われてもよいし、状態検知部１０１が検知した結果に変化があったタイミングで行われてもよい。
【００１９】
図３は、監視サーバー２の構成を示すブロック図である。図３に示すように、監視サーバー２は、主として、ＣＰＵ２０と、不揮発性メモリーであるＲＯＭ２１と、揮発性メモリーであるＲＡＭ２２と、ＬＣＤ（Liquid Crystal Display）等の表示装置である表示部２３と、キーボード、マウス等の入力デバイスである操作部２４と、通信ネットワークＮＴを介して所定の通信プロトコルを用いた通信を行う通信部２５と、ＨＤＤ（Hard Disk Drive）等の大規模記憶装置としての記憶部２６とを備えている。ＣＰＵ２０は、ＲＯＭ２１や記憶部２６に記憶されたプログラムを実行して各部を制御することで、監視サーバー２の動作を中央制御する。具体的には、ＣＰＵ２０が上述したプログラムを実行して、状態判定部２０１、探索部２０２、報知部２０３、グループ設定部２０４としての機能を実現する。
【００２０】
記憶部２６は、携帯端末１ごとの位置にかかる情報である携帯端末位置情報２６１、携帯端末１ごとの、携帯端末１が属するグループを示す情報であるグループ設定情報２６２、携帯端末１ごとの、携帯端末１の保有者に異常の報知先の情報である報知先設定情報２６３を記憶する。
携帯端末位置情報２６１は、携帯端末１にユニークに割り当てられた識別情報ごとに、経度・緯度、住所名などで携帯端末１の現在位置を記述したファイルである。携帯端末位置情報２６１における携帯端末１の現在位置については、携帯端末１からの通知や、どの通信エリアＡを有する基地局Ｂと通信を行っているかをもとに更新される。具体的には、通知元の携帯端末１に割り当てられた識別情報をもとに、携帯端末１の状態検知部１０１が検知して通知部１０２より通知された携帯端末１の位置で、携帯端末位置情報２６１に記述されている携帯端末１の現在位置を更新する。また、携帯端末１が通信を行っている基地局Ｂの位置や、その基地局Ｂが有する通信エリアＡにかかる情報を、基地局Ｂを管理する通信事業者のサーバー装置などから取得して、携帯端末位置情報２６１に記述されている携帯端末１の現在位置を更新してもよい。
グループ設定情報２６２は、携帯端末１にユニークに割り当てられた識別情報ごとに、携帯端末１が属するグループを示すグループ識別情報を記述したファイルである。このグループ設定情報２６２は、グループ設定部２０４の設定により情報の更新が行われる（詳細は後述する）。
報知先設定情報２６３は、後述するように、携帯端末１にユニークに割り当てられた識別情報ごとに、報知先の情報を記述したファイルである。報知先の情報は、例えば通信ネットワークＮＴ上における端末装置３のアドレスや、端末装置３を利用するアカウント宛のメールアドレス等である。報知先設定情報２６３は、報知先設定部２０５の設定により情報の更新が行われる。
【００２１】
状態判定部２０１（状態判定手段）は、携帯端末１の状態検知部１０１が検知して通知部１０２より通知された携帯端末１の状態が、予め設定された所定の状態を示すか否かを判定する。具体的には、状態判定部２０１は、状態検知部１０１が検知して通知部１０２より通知された携帯端末１の加速度や速度が予め設定された値よりも大きいか否かを判定する。これにより、状態判定部２０１は、携帯端末１の加速度や速度が予め設定された値よりも大きく、携帯端末１を保有する保有者が車や電車などで移動している状態であるか否かなどを判定できる。例えば、携帯端末１を保有する保有者が子供などであり、通常は徒歩で登下校を行う場合には、状態判定部２０１により車や電車などで移動している状態を判定することで、通常の登下校とは異なる警戒すべき状態であるか否かを判定できる。なお、状態判定部２０１が判定の基準とする所定の状態は、携帯端末１の状態をもとに携帯端末１の保有者が置かれている状態が警戒すべき状態であるか否かを判断可能なものであれば、携帯端末１の周囲の温度や照度など、上述した携帯端末１の加速度や速度以外の状態であってもよい。
【００２２】
探索部２０２（探索手段）は、予め設定された所定の状態を示すと状態判定部２０１により判定された携帯端末１の近傍に位置する他の携帯端末１を探索する。具体的には、探索部２０２は、記憶部２６に記憶された携帯端末位置情報２６１を参照して、状態判定部２０１により所定の状態を示していると判定された携帯端末１に対して、所定の距離以内に存在する他の携帯端末１の数をカウントする。携帯端末位置情報２６１には携帯端末１の各々がＧＰＳによる測位によって検知した位置が記述されていることから、探索部２０２は、携帯端末位置情報２６１を参照することで、携帯端末１の各々から通知された位置をもとに、所定の状態を示すと状態判定部２０１により判定された携帯端末１の近傍に位置する他の携帯端末１を探索できる。また、携帯端末位置情報２６１には携帯端末１が通信を行っている基地局Ｂの位置や、その基地局Ｂが有する通信エリアＡにかかる情報が記述されていることから、探索部２０２は、携帯端末位置情報２６１を参照することで、所定の状態を示すと状態判定部２０１により判定された携帯端末１が通信する基地局Ｂまたはその基地局Ｂと近接する基地局Ｂと通信する他の携帯端末１を、近傍に位置する携帯端末として探索できる。
【００２３】
報知部２０３（報知手段）は、探索部２０２による探索結果をもとに、予め設定された所定の状態を示すと状態判定部２０１により判定された携帯端末１の近傍に所定数以上の携帯端末１が位置しない場合に、所定の状態を示していると判定された携帯端末１を保有する保有者にかかる異常を報知する。なお、報知部２０３は、所定の状態を示していると判定された携帯端末１の近傍に所定数以上の携帯端末１が位置する場合には上述した異常を報知しない。したがって、監視サーバー２では、監視対象者の異常を検知するためのエリアなどを予め設定しておく必要がない。また、携帯端末１を所持する衆人の近傍にあって、実際には徘徊や迷子などではない場合には異常の報知を行うことなく、携帯端末１を所持する衆人の近傍にない場合に異常の報知を行うことから、監視対象者における徘徊や迷子などの異常を、容易かつ的確に報知できる。
【００２４】
なお、報知部２０３による異常の報知は、携帯端末１の表示部２３などに警告画面を表示して行ってもよいし、報知先設定情報２６３に設定された報知先の端末装置３にＳＭＳやＭＭＳなどで通知してもよい。例えば、報知先の端末装置３として保護者などが使用する端末装置を報知先設定情報２６３に予め設定することで、監視対象者における徘徊や迷子などの異常を的確に保護者に通知可能となる。また、報知部２０３は、グループ設定情報２６２を参照することで、所定の状態を示していると判定された携帯端末１の近傍に、その携帯端末１と同じグループとして設定された他の携帯端末１が所定数以上位置しない場合に異常の報知を行い、所定数以上位置する場合には異常の報知を行わなくてもよい。この場合は、例えば登下校などが同じ子供同士が保有する携帯端末１を同一のグループとしてグループ設定情報２６２に設定しておくことで、登下校中に他の子供とはぐれた場合の報知を行うことが可能となる。
【００２５】
グループ設定部２０４（グループ設定手段）は、表示部２３に表示した設定画面で行われる操作部２４による操作指示や、ウエブブラウザーなどにより通信ネットワークＮＴを介して通信接続する端末装置３より入力された操作指示などをもとに、携帯端末１ごとに、その携帯端末１が属するグループの設定をユーザー（監視者）より受け付けて、受け付けた情報をもとにグループ設定情報２６２を更新する。例えば、識別情報が割り当てられた携帯端末１の一覧から、グループの設定を行う携帯端末１の選択を受け付け、選択された携帯端末１のグループを選択操作などで設定してよい。保護者などの監視者は、一緒に登下校を行う子供同士など、同じ行動をする携帯端末１の保有者同士を同じグループに設定しておくことで、例えば登下校中に他の子供とはぐれた場合の報知などを報知部２０３に的確に行わせることが可能となる。
【００２６】
報知先設定部２０５（報知先設定手段）は、表示部２３に表示した設定画面で行われる操作部２４による操作指示や、ウエブブラウザーなどにより通信ネットワークＮＴを介して通信接続する端末装置３より入力された操作指示などをもとに、携帯端末１ごとに、報知先とする端末装置３の設定をユーザー（監視者）より受け付けて、受け付けた情報をもとに報知先設定情報２６３を更新する。例えば、識別情報が割り当てられた携帯端末１の一覧から、報知先の設定を行う携帯端末１の選択を受け付け、選択された携帯端末１の報知先である端末装置３のアドレスや、端末装置３を利用するアカウント宛のメールアドレスなどの入力を受け付けて、報知先設定情報２６３の更新を行う。保護者などの監視者は、例えば自らが使用する端末装置３やメールアドレスなどを報知先として設定しておくことで、監視対象者である携帯端末１の保有者の異常が的確に自分宛に届くようにすることが可能となる。
【００２７】
次に、図４を参照して、監視サーバー２の具体的な動作の流れを説明する。図４は、監視サーバー２の動作を示すフローチャートである。図４に示すように、処理が開始されると、ＣＰＵ２０は、状態判定部２０１の判定結果をもとに、所定の状態の携帯端末１が存在するか否かを判定する（ステップＳ１）。所定の状態の携帯端末１が存在しない場合は、Ｓ１に処理を戻して待機する。所定の状態の携帯端末１が存在する場合、探索部２０２は、所定の状態を示すと状態判定部２０１により判定された携帯端末１の近傍に位置する他の携帯端末１を探索する（ステップＳ２）。次いで、報知部２０３は、探索部２０２による探索結果をもとに、予め設定された所定の状態を示すと状態判定部２０１により判定された携帯端末１の近傍に所定数以上の他の携帯端末１が存在するか否かを判定する（ステップＳ３）。所定の状態を示す携帯端末１の近傍に所定数以上の他の携帯端末１が存在しない場合、報知部２０３は、所定の状態を示す携帯端末１を保有する保有者にかかる異常を報知し（ステップＳ４）、処理をリターンする。なお、所定の状態を示す携帯端末１の近傍に所定数以上の他の携帯端末１が存在する場合、報知部２０３は、Ｓ４による異常の報知を行うことなく、処理を終了する。監視サーバー２は、図４の動作を、例えば所定時間毎、事前に設定された時刻に到達する毎、携帯端末１が通信する基地局が変わる毎、監視者が使用する端末装置３からの要求がある毎などの所定のタイミングで、繰り返し実行する。
【００２８】
以上説明したように、本発明を適用した実施携帯にかかる監視システム１００は、複数の携帯端末１と、複数の携帯端末１と通信可能に接続する監視サーバー２とを有し、複数の携帯端末１は、自装置の状態を検知する状態検知部１０１と、検知した状態を示す状態情報を監視サーバー２に通知する通知部１０２とを備え、監視サーバー２は、携帯端末１から通知された状態情報が予め設定された所定の状態を示すか否かを判定する状態判定部２０１と、状態判定部２０１により所定の状態を示していると判定された携帯端末１の近傍に位置する他の携帯端末１を探索する探索部２０２と、状態判定部２０１により所定の状態を示していると判定された携帯端末１の近傍に所定数以上の他の携帯端末１が位置する場合には異常を報知せず、状態判定部２０１により所定の状態を示していると判定された携帯端末１の近傍に所定数以上の他の携帯端末１が位置しない場合は異常を報知する報知部２０３と、を備える。これにより、複数の携帯端末１が自装置の状態を検知して監視サーバー２に通知し、監視サーバー２が、通知された状態情報に基づいて予め設定された所定の状態を示すか否かを判定し、所定の状態を示していると判定された携帯端末１については、近傍に所定数以上の他の携帯端末１がない場合に、異常を報知する。したがって、携帯端末１を所持する監視対象者が、他の携帯端末１を所持する衆人の近傍にあって、実際には徘徊や迷子などではない場合には異常の報知を行わず、携帯端末１を所持する衆人が近傍にいない場合に異常の報知を行うことから、監視対象者における徘徊や迷子などの異常を的確に報知できる。
【００２９】
また、監視サーバー２は、複数の携帯端末１ごとに、これら複数の携帯端末１が属するグループを設定するグループ設定部２０４を更に備え、報知部２０３は、状態判定部２０１により所定の状態を示していると判定された携帯端末１の近傍に同じグループの携帯端末１が所定数以上位置する場合に異常を報知せず、状態判定部２０１により所定の状態を示していると判定された携帯端末１の近傍に同じグループの携帯端末１が所定数以上位置しない場合は異常を報知するので、例えば集団で登下校する児童または生徒が所持する携帯端末１を同一のグループとして設定することで、登下校中に他の子供とはぐれた場合の報知などを行うことが可能となる。このように、異常を報知すべき状態か否かをより適切に判定し、的確な報知を行うことができる。
【００３０】
また、状態検知部１０１は自装置である携帯端末１の位置を検知し、通知部１０２は状態検知部１０１により検知した自位置を監視サーバー２に通知し、監視サーバー２が備える探索部２０２は、複数の携帯端末１の各々から通知された位置をもとに、状態判定部２０１により所定の状態を示していると判定された携帯端末１の近傍に位置する他の携帯端末１を探索するので、各々の携帯端末１が検知した各携帯端末１の位置に基づいて、携帯端末１の探索を行い、的確な報知を行うことができる。
さらに、携帯端末１は、それぞれ所定の通信エリアを有する複数の基地局のうち、いずれかの基地局を介して監視サーバー２と通信接続し、監視サーバー２が備える探索部２０２は、状態判定部２０１により所定の状態を示していると判定された携帯端末１と同一または近接する基地局と通信する携帯端末１を、当該携帯端末１の近傍に位置する携帯端末１として探索するので、所定の状態を示すと判定された携帯端末１の近傍に位置する他の携帯端末１を容易に探索できる。
さらにまた、状態検知部１０１は、自装置の移動速度または加速度の状態を検知し、状態判定部２０１は、通知された携帯端末１の移動速度または加速度が予め設定された値を超えた状態であるか否かを判定する場合に、携帯端末１を所持する監視対象者が移動する状態あるいは監視対象者の動作の状態に基づいて、異常の報知を行うことができる。
また、監視サーバー２は、携帯端末１ごとに報知先を設定する報知先設定部２０５を更に備え、報知部２０３は、報知先設定部２０５により設定された報知先へ異常を報知するので、予め設定された報知先に、携帯端末１を所持する監視対象者についての状況を報知できる。
【００３１】
なお、上記実施形態は本発明を適用した一具体例を示すものであり、本発明はこれに限定されるものではない。例えば、携帯端末１が使用する通信回線は携帯電話回線網に限らず、公衆無線ＬＡＮ等の他の通信システムを介して監視サーバー２と通信可能な構成であってもよい。また、図２及び図３に示した各部はＣＰＵがプログラムを実行することで、ハードウェアとソフトウェアとの協働により実現される。このため、各機能ブロックはハードウェアの実装形態を限定するものではないし、複数の機能ブロックの機能を一つの機能部が具備する構成とすることも勿論可能である。さらに、上記実施形態においてＲＯＭ１１、ＲＯＭ２１、記憶部２６が記憶していたプログラムを図示しない不揮発性メモリーが記憶する構成であってもよいし、可搬型の記録媒体に記憶されている構成であってもよいし、或いは、携帯端末１や監視サーバー２が通信ネットワークを介して接続された他の装置にダウンロード可能に記憶され、これらの装置から携帯端末１や監視サーバー２が上記プログラムをダウンロードして実行してもよい。その他、監視システム１００の細部構成については任意に変更可能である。
【符号の説明】
【００３２】
１００…監視システム、１…携帯端末、２…監視サーバー、３…端末装置、１０…ＣＰＵ、１５…通信部、１６…加速度センサー、２０…ＣＰＵ、２６…記憶部、１０１…状態検知部（状態検知手段）、１０２…通知部（通知手段）、２０１…状態判定部（状態判定手段）、２０２…探索部（探索手段）、２０３…報知部（報知手段）、２０４…グループ設定部（グループ設定手段）、２０５…報知先設定部（報知先設定手段）、２６１…携帯端末位置情報、２６２…グループ設定情報、２６３…報知先設定情報、Ａ…通信エリア、Ｂ…基地局、ＮＴ…通信ネットワーク、ＳＧ…ＧＰＳ信号、ＳＴ…ＧＰＳ衛星。
【図１】
2012216119.tif 000003
【図２】
2012216119.tif 000004
【図３】
2012216119.tif 000005
【図４】
2012216119.tif 000006